(57)【要約】【課題】駐車区画の表示がされていない土地の満空管理及び予約管理を行う。【解決手段】特定部１１２は、受付部１１１が端末装置２から駐車の予約の要求を受付けたときに利用者の車両の分類を特定する。調整部１１３は、特定した分類に応じた駐車区画を検索し、存在しない場合には駐車区画のレイアウトの調整を試みる。抽出部１１４は、調整部１１３が調整を行った場合には調整後の駐車区画から利用されていない駐車区画を抽出する。応答部１１５は、抽出部１１４が抽出した駐車区画を指定する情報を端末装置２に送信して、駐車の予約の要求に応答する。検知部１１６は、車両が予約された駐車区画に駐車されているか否かを検知する。更新部１１７は、予約の内容で記憶部１２を更新する。指示部１１８は、予約された駐車区画に車両が駐車されていないことが検知されたときに、利用者に車両が駐車している位置の修正を促すよう端末装置２に指示する。【選択図】図８
2020038461.tif 000002
【特許請求の範囲】
【請求項１】
駐車区画が非表示の土地に仮想的に駐車区画を設定し、前記駐車区画の満空管理及び予約管理を行う駐車管理システム。
【請求項２】
前記土地に設定された駐車区画のうち複数の駐車区画を示して利用者に選択を促し、前記利用者の選択により駐車の予約を受付ける請求項１に記載の駐車管理システム。
【請求項３】
利用者が前記駐車区画に駐車した車両を前記利用者の端末装置に搭載されたカメラで撮像した画像により、前記駐車区画の利用の開始又は終了の指示を受付け、前記画像に基づいて前記土地の利用の状況を管理する、請求項１又は２に記載の駐車管理システム。
【請求項４】
前記駐車区画の内側に位置する利用者の端末装置から前記駐車区画の利用の開始又は終了の指示を受付け、前記指示に基づいて前記土地の利用の状況を管理する、請求項１又は２に記載の駐車管理システム。
【請求項５】
利用者が前記土地に駐車した車両を前記利用者の端末装置に搭載されたカメラで撮像した画像に基づいて前記車両が前記駐車区画に駐車されていないと判定した場合、前記利用者に前記車両の駐車位置の修正を促す請求項１から４のいずれか１項に記載の駐車管理システム。
【請求項６】
利用者が前記土地に駐車した車両を前記利用者の端末装置に搭載されたカメラで撮像した画像に基づいて前記車両が予約された駐車区画に駐車されていないと判定した場合、前記車両が予約された駐車区画を前記車両が駐車されている駐車区画に変更する請求項１から５のいずれか１項に記載の駐車管理システム。
【請求項７】
前記土地において撮像された画像に基づいて、不正に駐車されている車両を検知する請求項１から６のいずれか１項に記載の駐車管理システム。
【請求項８】
利用者の車両の占有面積に応じた分類を特定し、前記分類に応じた駐車区画を指定する情報を前記利用者の端末装置に送信する請求項１から７のいずれか１項に記載の駐車管理システム。
【請求項９】
特定した前記分類に応じて、前記駐車区画のレイアウトを調整し、調整後の前記駐車区画を指定する情報を前記端末装置に送信する請求項８に記載の駐車管理システム。
【請求項１０】
利用者の車両を前記利用者の端末装置の位置情報を用いて前記駐車区画に誘導する請求項１から９のいずれか１項に記載の駐車管理システム。
【発明の詳細な説明】
【技術分野】
【０００１】
本発明は、仮想的に設定された駐車区画の満空管理及び予約管理を行う技術に関する。
【背景技術】
【０００２】
駐車区画の満空管理又は予約管理を行う技術が開発されている。
特許文献１には、集中型データベースに格納されている車両のナンバープレートの番号及び対応する駐車区域に関する情報を使用して、駐車権利を管理する方法が記載されている。
【先行技術文献】
【特許文献】
【０００３】
【特許文献１】特開２０１５−１７９５３１号公報
【発明の概要】
【発明が解決しようとする課題】
【０００４】
しかし、特許文献１に記載された技術は、携帯電話と、対話式音声モジュールの対話サーバとの間に電話接続が確立された時点や、Ｗｅｂ対応デバイスと駐車権利管理システムとの間に接続が確立された時点等で、パーキング利用者に、自分の車両が位置している駐車区域に関連付けられている一意の識別子の入力を要する。そのため、利用者は、識別子で識別される駐車区域内に自分の車両を入れなければならず、利用者に把握可能なように駐車区域が物理的に表示されていることが必要になる。
【０００５】
本発明の目的の一つは、駐車区画の表示がされていない土地の満空管理及び予約管理を行うことである。
【課題を解決するための手段】
【０００６】
上述した課題を解決するため、本発明は、駐車区画が非表示の土地に仮想的に駐車区画を設定し、前記駐車区画の満空管理及び予約管理を行う駐車管理システムを、第１の態様として提供する。
【０００７】
第１の態様の駐車管理システムによれば、駐車区画の表示がされていない土地の満空管理及び予約管理を行うことができる。
【０００８】
第１の態様の駐車管理システムにおいて、前記土地に設定された駐車区画のうち複数の駐車区画を示して利用者に選択を促し、前記利用者の選択により駐車の予約を受付ける、という構成が第２の態様として採用されてもよい。
【０００９】
第２の態様の駐車管理システムによれば、複数の駐車区画のうちのいずれかを選択する機会が利用者に与えられる。
【００１０】
第１又は第２の態様の駐車管理システムにおいて、利用者が前記駐車区画に駐車した車両を前記利用者の端末装置に搭載されたカメラで撮像した画像により、前記駐車区画の利用の開始又は終了の指示を受付け、前記画像に基づいて前記土地の利用の状況を管理する、という構成が第３の態様として採用されてもよい。
【００１１】
第３の態様の駐車管理システムによれば、土地の利用の状況を画像で管理する際に、利用者の端末装置に搭載されたカメラ以外のカメラが必要とされない。
【００１２】
第１又は第２の態様の駐車管理システムにおいて、前記駐車区画の内側に位置する利用者の端末装置から前記駐車区画の利用の開始又は終了の指示を受付け、前記指示に基づいて前記土地の利用の状況を管理する、という構成が第４の態様として採用されてもよい。
【００１３】
第４の態様の駐車管理システムによれば、駐車区画の内側に位置している利用者の端末装置を利用して土地の利用の状況が管理される。
【００１４】
第１から第４のいずれか１つの態様の駐車管理システムにおいて、利用者が前記土地に駐車した車両を前記利用者の端末装置に搭載されたカメラで撮像した画像に基づいて前記車両が前記駐車区画に駐車されていないと判定した場合、前記利用者に前記車両の駐車位置の修正を促す、という構成が第５の態様として採用されてもよい。
【００１５】
第５の態様の駐車管理システムによれば、駐車区画に駐車されていないとき、車両の駐車位置の修正が利用者に促される。
【００１６】
第１から第５のいずれか１つの態様の駐車管理システムにおいて、利用者が前記土地に駐車した車両を前記利用者の端末装置に搭載されたカメラで撮像した画像に基づいて前記車両が予約された駐車区画に駐車されていないと判定した場合、前記車両が予約された駐車区画を前記車両が駐車されている駐車区画に変更する、という構成が第６の態様として採用されてもよい。
【００１７】
第６の態様の駐車管理システムによれば、実際の駐車の状況に応じて駐車区画の予約が変更される。
【００１８】
第１から第６のいずれか１つの態様の駐車管理システムにおいて、前記土地において撮像された画像に基づいて、不正に駐車されている車両を検知する、という構成が第７の態様として採用されてもよい。
【００１９】
第７の態様の駐車管理システムによれば、仮想的に駐車区画が設定された土地において不正に駐車されている車両が検知される。
【００２０】
第１から第７のいずれか１つの態様の駐車管理システムにおいて、利用者の車両の占有面積に応じた分類を特定し、前記分類に応じた駐車区画を指定する情報を前記利用者の端末装置に送信する、という構成が第８の態様として採用されてもよい。
【００２１】
第８の態様の駐車管理システムによれば、利用者の車両の分類に応じた情報が利用者に送信される。
【００２２】
第８の態様の駐車管理システムにおいて、特定した前記分類に応じて、前記駐車区画のレイアウトを調整し、調整後の前記駐車区画を指定する情報を前記端末装置に送信する、という構成が第９の態様として採用されてもよい。
【００２３】
第９の態様の駐車管理システムによれば、利用者の車両の分類に応じて、駐車区画のレイアウトが調整される。
【００２４】
第１から第９のいずれか１つの態様の駐車管理システムにおいて、利用者の車両を前記利用者の端末装置の位置情報を用いて前記駐車区画に誘導する、という構成が第１０の態様として採用されてもよい。
【００２５】
第１０の態様の駐車管理システムによれば、利用者の車両が駐車区画に誘導される。
【図面の簡単な説明】
【００２６】
【図１】本発明の一実施形態に係る駐車区画を説明するための図。
【図２】駐車管理システム９の全体構成の例を示す図。
【図３】管理装置１の構成の例を示す図。
【図４】記憶部１２に記憶される座標ＤＢ１２１の例を示す図。
【図５】記憶部１２に記憶される満空ＤＢ１２２の例を示す図。
【図６】記憶部１２に記憶される予約ＤＢ１２３の例を示す図。
【図７】端末装置２の構成の例を示す図。
【図８】管理装置１の機能的構成を示す図。
【図９】予約の画面の例を示す図。
【図１０】車両誘導の画面の例を示す図。
【図１１】利用者が撮像した画像の例を示す図。
【図１２】修正を促す指示を受けて端末装置２が表示する画面の例を示す図。
【図１３】警告を受けて端末装置２が表示する画面の例を示す図。
【図１４】管理装置１が予約を受付ける動作の流れを示すフロー図。
【図１５】駐車区画の利用状況の例を示す図。
【図１６】調整後の駐車区画の例を示す図。
【図１７】管理装置１が利用開始等の指示を受付ける動作の流れを示すフロー図。
【図１８】端末装置２が利用者の指示を受付ける画面の例を示す図。
【図１９】画像のみから車両の位置を特定する方法を説明するための図。
【発明を実施するための形態】
【００２７】
＜実施形態＞
＜駐車管理システムの構成＞
図１は、本発明の一実施形態に係る駐車区画を説明するための図である。図１には、一例として本発明に係る駐車管理システム９が管理する土地Ｐが示されている。この土地Ｐには、北にブロックＢが、南西に植物Ｔ１が、東に植物Ｔ２がそれぞれ所在する。土地Ｐのうち、上述したブロックＢ、植物Ｔ１及び植物Ｔ２の所在する箇所以外の範囲は平地である。土地Ｐの西側の境界は、南北に伸びる道路に面しており、この道路には普通車Ｖ１や大型車Ｖ２が通行している。
【００２８】
土地Ｐの管理者は収益を増加させるためこの土地Ｐを一時的に駐車場として活用することを希望している。しかし、管理者は、将来的にこの土地Ｐを他の用途に使用することも希望しているため、駐車場用の設備、例えば、駐車区画を表示するための白線、縁石、出入口のゲート、監視カメラ等の費用のかかる設備の設置を望んでいない。
【００２９】
そこで管理者は、この土地Ｐに、駐車場法の適用要否面積に従い図１に示す駐車区画を、土地Ｐ自体への表示をすることなく仮想的に設定することを計画する。図１に示す駐車区画は、普通車用の駐車区画Ｒ１〜Ｒ５と、大型車用の駐車区画Ｒ６〜Ｒ９と、を含む９箇所の仮想的な領域である。これらの駐車区画は、車両の障害となるブロックＢ、植物Ｔ１及び植物Ｔ２を避けた位置に設定される。なお、土地Ｐの外縁と、西側の境界にあって道路に面した出入口Ｇとは、土地Ｐに表示されていてもよいが、表示されていなくてもよい。
【００３０】
図２は、駐車管理システム９の全体構成の例を示す図である。図２に示す駐車管理システム９は、管理装置１、端末装置２、及びこれらを通信可能に接続する通信回線３を有する。また、駐車管理システム９は、図１に示す衛星４を有してもよい。この駐車管理システム９は、土地Ｐに駐車区画を仮想的に設定し、これらの駐車区画の利用状況と予約状況を管理するとともに、これらの駐車区画の情報を利用者に伝えるシステムである。
【００３１】
端末装置２は、土地Ｐを管理する管理者又は土地Ｐを利用する利用者が携帯する情報処理装置であって、例えばスマートフォンやタブレットＰＣ等である。この端末装置２は、衛星４から航法信号を受信して自装置の位置を測定する全地球航法衛星システム（ＧＮＳＳ： Global Navigation Satellite System）を構成してもよい。この場合、端末装置２は、例えば４機以上の衛星４から航法信号を受信するとよい。
【００３２】
通信回線３は、例えばＬＡＮ（Local Area Network）のほか、ＷＡＮ（Wide Area Network）であってもよいし、インターネットであってもよいし、これらの組合せであってもよい。また、この通信回線は、公衆交換通信網（ＰＳＴＮ：Public Switched Telephone Networks）やサービス統合デジタル網（ＩＳＤＮ：Integrated Services Digital Network）等を含むものでもよい。
【００３３】
管理装置１は、図１に示した土地Ｐに仮想的な駐車区画Ｒ１〜Ｒ９を設定して、これらの駐車区画の満空管理及び予約管理を行うコンピュータ等の情報処理装置である。
【００３４】
＜管理装置の構成＞
図３は、管理装置１の構成の例を示す図である。図１に示す管理装置１は、制御部１１、記憶部１２、及び通信部１３を有する。
【００３５】
制御部１１は、管理装置１の各部の動作を制御する手段である。制御部１１は、ＣＰＵ（Central Processing Unit）等の演算処理装置や、ＲＯＭ（Read Only Memory）、ＲＡＭ（Random Access Memory）等の記憶装置を備え、これらの記憶装置や記憶部１２に記憶されたプログラムを実行する。
【００３６】
通信部１３は、有線又は無線により通信回線３を介して、端末装置２に接続する通信回路である。
【００３７】
記憶部１２は、ソリッドステートドライブ、ハードディスクドライブ等の記憶手段であり、制御部１１のＣＰＵに読み込まれる各種のプログラム、データ等を記憶する。また、記憶部１２は、座標ＤＢ１２１、満空ＤＢ１２２、及び予約ＤＢ１２３を記憶する。
【００３８】
操作部１４は、各種の指示をするための操作ボタン、キーボード、タッチパネル等の操作子を備えており、利用者による操作を受付けてその操作内容に応じた信号を制御部１１に送る。
【００３９】
表示部１５は、液晶ディスプレイ等の表示画面を有しており、制御部１１の制御の下、画像を表示する。表示画面の上には、操作部１４の透明のタッチパネルが重ねて配置されてもよい。
【００４０】
また、表示部１５は、表示画面に加えて又は変えて制御部１１の制御下で音声を放出するスピーカ、イヤホン等の放音装置を有していてもよい。要するに表示部１５は制御部１１の制御下で情報を報知する構成（報知手段）を有していればよい。
【００４１】
なお、管理装置１は、通信部１３を介して通信可能に接続された外部装置により利用者から操作されてもよい。この外部装置は端末装置２のいずれかであってもよい。制御部１１は、管理装置１の各部を外部装置において受付けられた利用者の操作に応じて制御すればよい。また、制御部１１は、外部装置を操作した利用者に向けて報知すべき情報を、通信部１３経由で外部装置に送信してもよい。外部装置は、管理装置１から送信された情報を受信して、この情報に基づき利用者に情報を報知すればよい。この場合、管理装置１は、操作部１４及び表示部１５の少なくともいずれかを備えなくてもよい。
【００４２】
＜座標ＤＢの構成＞
図４は、記憶部１２に記憶される座標ＤＢ１２１の例を示す図である。図４に示す座標ＤＢ１２１は、管理者がそれぞれ管理する土地ごとに定められた駐車区画の座標を記憶するデータベースである。座標ＤＢ１２１は、管理者リスト１２１１、土地リスト１２１２、及び座標リスト１２１３を有する。
【００４３】
管理者リスト１２１１は、管理者の識別情報である管理者ＩＤを記述したリストである。土地リスト１２１２は、管理者ごとにその管理者の管理する土地の識別情報である土地ＩＤを記述したリストである。土地リスト１２１２は、管理者リスト１２１１に記述された管理者ＩＤごとにそれぞれ対応付けられている。
【００４４】
座標リスト１２１３は、土地に設定された仮想的な駐車区画の座標をそれぞれ記述するリストである。座標リスト１２１３は、土地リスト１２１２に記述された土地ＩＤごとにそれぞれ対応付けられている。座標リスト１２１３は、駐車区画の識別情報である区画ＩＤごとに、その駐車区画の座標を記憶する。
【００４５】
駐車区画の座標は、例えばその駐車区画の形状が東西南北に沿った矩形であれば、北西及び南東の各端点を示す座標の組等で表される。駐車区画の座標は、多角形を示す複数の座標の組で表されてもよい。また、駐車区画の座標には、これらの座標の組に加えて、変換行列等のパラメータが記述されてもよい。駐車区画の座標は、例えば、矩形や多角形を示す複数の座標に対して上述したパラメータを用いて回転、拡大、縮小等の線形変換を行うことで特定されてもよい。
【００４６】
なお、座標リスト１２１３には、座標のフィールドに出入口の座標や住所等が記述されてもよい。この場合、これらの情報に対応付けられる区画ＩＤには、出入口や住所等を示すために予約された識別情報が記述されていればよい。
【００４７】
図４に示す例で、管理者ＩＤ「Ａ２」の管理者は、土地ＩＤ「Ｐ１」の土地を管理し、この土地には、区画ＩＤ「Ｒ４」の駐車区画の座標が「（ｘ１，ｙ１）−（ｘ２，ｙ２）」で設定されている。これは、例えば東経ｘ１から東経ｘ２まで、かつ、北緯ｙ１から北緯ｙ２までの矩形で示される駐車区画を示している。
【００４８】
＜満空ＤＢの構成＞
図５は、記憶部１２に記憶される満空ＤＢ１２２の例を示す図である。満空ＤＢ１２２は、土地Ｐの現在の利用状況を記憶するデータベースである。満空ＤＢ１２２は、駐車区画の識別情報である区画ＩＤごとに、「分類」、「状況」、「開始」、「終了」、「画像データ」を対応付けて記憶する。
【００４９】
「分類」とは、対応する駐車区画が対象としている車両の分類を示す情報である。「状況」とは、対応する駐車区画の利用の状況を示す情報である。「開始」とは、対応する駐車区画に車両が入り、その利用を開始した時刻を示す情報である。「終了」とは、対応する駐車区画から車両が出て、その利用を終了する予定の時刻を示す情報である。「画像データ」とは、対応する駐車区画に入っている車両を撮像した画像を示す画像データである。
【００５０】
なお、図５に示す通り、満空ＤＢ１２２は、区画ＩＤに対応付けて、車両の「特徴情報」を記憶してもよい。「特徴情報」とは、その区画ＩＤで識別される駐車区画に駐車された車両の特徴を表して、その車両を識別し得る情報であり、例えばナンバープレートを示す画像を解析して認識される車両番号等である。
【００５１】
図５に示す例で、区画ＩＤ「Ｒ４」で示される駐車区画は、普通車用の駐車区画であり、利用中である。この駐車区画の利用が開始された時刻は「１０：００」であり、終了の予定時刻は「未定」である。また、管理装置１は、この駐車区画に駐車した車両を撮像した画像「Ｇ４」を取得し、この画像に写り込んでいるナンバープレートから車両の特徴情報「１２３４」を認識しており、これらを満空ＤＢ１２２に記憶している。
【００５２】
＜予約ＤＢの構成＞
図６は、記憶部１２に記憶される予約ＤＢ１２３の例を示す図である。予約ＤＢ１２３は、土地Ｐに設定された駐車区画に対する予約の状況を記憶するデータベースである。予約ＤＢ１２３は、駐車区画の識別情報である区画ＩＤごとに、その駐車区画が予約されている時間帯を記憶する。
【００５３】
図６に示す例で、区画ＩＤ「Ｒ３」で識別される駐車区画は、１６時から２２時まで予約されている。予約ＤＢ１２３は、予約した利用者の識別情報や料金等を記憶してもよい。
【００５４】
＜端末装置の構成＞
図７は、端末装置２の構成の例を示す図である。図７に示す端末装置２は、制御部２１、記憶部２２、通信部２３、操作部２４、表示部２５、カメラ２６、及び測位部２７を有する。
【００５５】
制御部２１は、ＣＰＵ、ＲＯＭ、ＲＡＭを有し、ＣＰＵがＲＯＭ及び記憶部２２に記憶されているプログラムを読み出して実行することにより端末装置２の各部を制御する。
【００５６】
通信部２３は、有線又は無線により通信回線３を介して、管理装置１に接続する通信回路である。端末装置２は、通信部２３により管理装置１と情報をやり取りする。
【００５７】
記憶部２２は、ソリッドステートドライブ、ハードディスクドライブ等の記憶手段であり、制御部２１のＣＰＵに読み込まれる各種のプログラム、データ等を記憶する。
【００５８】
操作部２４は、各種の指示をするための操作ボタン、キーボード、タッチパネル等の操作子を備えており、利用者による操作を受付けてその操作内容に応じた信号を制御部２１に送る。
【００５９】
表示部２５は、液晶ディスプレイ等の表示画面を有しており、制御部２１の制御の下、画像を表示する。表示画面の上には、操作部２４の透明のタッチパネルが重ねて配置されてもよい。
【００６０】
また、表示部２５は、表示画面に加えて又は変えて制御部２１の制御下で音声を放出するスピーカ、イヤホン等の放音装置を有していてもよい。要するに表示部２５は制御部２１の制御下で情報を報知する構成（報知手段）を有していればよい。
【００６１】
カメラ２６は、レンズ、反射鏡、プリズム等の光学系と、ＣＣＤ（Charge Coupled Device）イメージセンサやＣＭＯＳ（Complementary Metal Oxide Semiconductor）イメージセンサ等の固体撮像素子とを備えた撮像手段であり、光学系が向けられている物体を撮像して、その物体が写っている画像を示す画像データを生成する。
【００６２】
測位部２７は、自装置（端末装置２）の位置を測定する機器等であり、例えば、上述したＧＮＳＳに基づき、複数の衛星４からそれぞれ航法信号を受信する受信機等を有する。測位部２７は、受信した航法信号に基づいて端末装置２の位置を測定（計算）するプロセッサを有していてもよい。また、測位部２７が受信した複数の航法信号を用いて制御部２１が端末装置２の位置を測定してもよい。
【００６３】
また、測位部２７は、位置のほかに、自装置（端末装置２）の姿勢を測定してもよい。この測位部２７は、例えば、３軸方向の加速度を検知する加速度センサ、又は、圧電振動子等の素子に加わるコリオリの力から角速度を求めて自装置の姿勢を測定する振動ジャイロセンサ等を含むとよい。
【００６４】
なお、測位部２７が位置を測定する手段は、ＧＮＳＳに限られない。例えば、測位部２７は、決められた場所に設置されたビーコン発信機から発信されるビーコン（無線標識）を受信して、そのビーコンに含まれる位置の情報を抽出することで、端末装置２の位置を測定してもよい。このビーコンのやり取りには、例えば赤外線や近距離無線通信等が用いられてもよい。
【００６５】
＜管理装置の機能的構成＞
図８は、管理装置１の機能的構成を示す図である。
制御部１１は、上述のプログラムを実行することにより、受付部１１１、特定部１１２、調整部１１３、抽出部１１４、応答部１１５、検知部１１６、更新部１１７、及び指示部１１８として機能する。
【００６６】
受付部１１１は、端末装置２から、駐車の予約の要求、及び駐車区画の利用に関する指示等を受付ける。
【００６７】
図９は、予約の画面の例を示す図である。利用者が例えば端末装置２で決められたアプリケーション・プログラム（以下、「アプリ」という）を起動させると、この端末装置２の表示部２５には、図９に示すような予約受付け用の画面が表示される。
【００６８】
図９に示す画面の上部には、この画面の役割を伝えるために「駐車場予約画面」という文字列が表示される。
【００６９】
図９に示す画面の中央には、利用者が予約の条件を入力するためのオブジェクトが表示される。
【００７０】
図９に示す画面の下部には、入力した条件を確定させて予約を要求するか、予約の条件の入力を中止する指示を受付けるダイアログが表示される。このダイアログには、「以上の条件で予約を要求しますか？」という文字列、「Ｃａｎｃｅｌ」と書かれたボタン、及び「ＯＫ」と書かれたボタン、が表示される。
【００７１】
予約の条件とは、例えば、場所、時間帯、及び車両の分類等である。図９に示す通り、場所の条件を入力する欄には、「現在位置を選択」という文字列と、「リスト選択」という文字列が表示され、それぞれの左端にいずれか一つを選択するラジオボタンが表示される。
【００７２】
利用者が、「現在位置を選択」という文字列の左端に表示されたラジオボタンの位置に触れると、端末装置２は、測位部２７が測定した自装置の位置を示す位置情報に基づいて、場所の条件が決定される。この場合、例えば、現在位置から最も近い駐車場が管理装置１により検索される。
【００７３】
一方、利用者が、「リスト選択」という文字列の左端に表示されたラジオボタンの位置に触れると、端末装置２は、この「リスト選択」という文字列の右側に表示されたプルダウンリストをアクティブにする。利用者は、アクティブになったこのプルダウンリストに触れて、このプルダウンリストにおいて予め列挙された都市名のいずれかを選択する操作を行う。この場合、選択された都市名が示す都市から最も近い駐車場が管理装置１により検索される。
【００７４】
また、図９に示す通り、時間帯の条件を入力する欄には、開始時刻及び終了時刻をそれぞれ示すプルダウンリストが表示されている。利用者は、これらのプルダウンリストに触れて、予め列挙された時刻のいずれかをそれぞれ選択し、開始時刻及び終了時刻を入力する操作を行う。
【００７５】
また、図９に示す通り、車両の分類の条件を入力する欄には、車両の分類を示す名称を列挙したプルダウンリストが表示されている。利用者は、このプルダウンリストに触れて、予め列挙された車両の分類のいずれかを選択し、車両の分類を入力する操作を行う。なお、このプルダウンリストには、車両の分類の名称に加えて、利用者の判断を支援するために、その分類における車両の占有面積、外輪差、旋回性能等の情報が表示されてもよい。
【００７６】
利用者は、図９に示す画面の下部に表示されたダイアログを確認し、入力した条件を確定して予約を要求する場合には、「ＯＫ」と書かれたボタンに触れる。利用者は、条件の入力を中止する場合には、「Ｃａｎｃｅｌ」と書かれたボタンに触れる。
【００７７】
特定部１１２は、受付部１１１が端末装置２から駐車の予約の要求を受付けたときに、受付けた要求の内容から駐車を希望する利用者の車両の分類を特定する。この分類は、例えば、利用者の車両の占有面積、外輪差、旋回性能等に応じて定められる。
【００７８】
調整部１１３は、特定部１１２が特定した分類の車両を対象としている駐車区画を検索し、その駐車区画が存在しない場合には、駐車区画のレイアウトの調整を試みる。レイアウトの調整とは、例えば、他の車両の分類を対象とする駐車区画を廃止して、その駐車区画のあった場所に、予約が要求されている車両の分類を対象とする駐車区画を新たに設定することである。
【００７９】
抽出部１１４は、調整部１１３が調整を行わない場合には元の駐車区画から、調整部１１３が調整を行った場合には調整後の駐車区画から、それぞれ利用されていない駐車区画を抽出する。利用されていない駐車区画が複数存在する場合には、それら複数の駐車区画が抽出される。
【００８０】
応答部１１５は、抽出部１１４が抽出した駐車区画を指定する情報を端末装置２に送信して、駐車の予約の要求に応答する。
【００８１】
上述した通り、特定部１１２は、例えば利用者の車両の占有面積に基づいて、利用者の車両の分類を特定し、応答部１１５は、この分類に応じて抽出された駐車区画を指定する情報を端末装置２に送信する。すなわち、この駐車管理システム９は、利用者の車両の占有面積に応じた分類を特定し、この分類に応じた駐車区画を指定する情報を利用者の端末装置に送信する駐車管理システムである。
【００８２】
また、上述した通り、特定部１１２により特定された分類に応じて、調整部１１３が駐車区画のレイアウトの調整を行った場合、応答部１１５は、調整後の駐車区画を指定する情報を端末装置２に送信する。すなわち、この駐車管理システム９は、特定した分類に応じて、駐車区画のレイアウトを調整し、調整後の駐車区画を指定する情報を端末装置に送信する駐車管理システムである。
【００８３】
抽出部１１４によって複数の駐車区画が抽出された場合、応答部１１５は、それら複数の駐車区画を示して利用者に選択を促す指示を端末装置２に応答してもよい。端末装置２は、応答部１１５の応答に応じて上述した選択を促す案内等を、例えば表示部２５によって利用者に表示する。
【００８４】
受付部１１１は、応答部１１５による応答を受けて利用者が指示する予約を端末装置２から受付ける。端末装置２が、複数の駐車区画を示して利用者に選択を促した場合、受付部１１１は、利用者の選択により駐車の予約を受付ける。すなわち、この駐車管理システム９は、土地に設定された駐車区画のうち複数の駐車区画を示して利用者に選択を促し、利用者の選択により駐車の予約を受付ける駐車管理システムである。
【００８５】
また、受付部１１１は、駐車の予約を受付けたとき、例えば、利用者の端末装置２の位置情報を周期的に取得し、この位置情報を用いて利用者が搭乗する車両を予約された駐車区画に誘導するように、案内の情報を端末装置２に送る。すなわち、この駐車管理システム９は、利用者の車両を利用者の端末装置２の位置情報を用いて駐車区画に誘導する駐車管理システムである。
【００８６】
利用者は、端末装置２を介して管理装置１の誘導を受け、車両を予約された駐車区画に移動させる。
【００８７】
図１０は、車両誘導の画面の例を示す図である。図１０に示す画面の上部には、この画面の役割を伝えるために「駐車場誘導画面」という文字列が表示される。
【００８８】
図１０に示す画面の中央には、方位、利用者の車両、及びこの車両が進むべき方向を示す矢印等が記載された簡単な地図が表示される。
【００８９】
図１０に示す画面の下部には、利用者の車両を予約された駐車区画へ誘導するための文章が表示される。
【００９０】
例えば、現在の端末装置２の位置から、利用者が予約した駐車区画までの距離が、５００メートル等、所定距離よりも遠い場合、端末装置２の表示部２５には、図１０（ａ）に示す通りの駐車場誘導画面が表示される。このとき画面の下部には、「ご予約いただいた駐車区画まで、１．５ｋｍです。５０ｍ先で左に曲がります」といった、簡単な案内文が表示される。利用者は、この案内文と地図とを認識して、５０メートル先に進んだときに車両を左折させる。
【００９１】
一方、例えば、上述した距離が所定距離以下になると、端末装置２の表示部２５には、図１０（ｂ）に示す通りの駐車場誘導画面が表示される。このとき画面の下部には、「３番の駐車区画は３ｍ前方です。後ろ向き駐車のため、右折後に後進して下さい」といった、詳細な案内文が表示される。利用者は、この案内文と地図とを認識して、３メートル前方で右折後に後進して、自分が予約した３番の駐車区画に自分の車両を駐車させる。
【００９２】
そして、予約した駐車区画に自分の車両を移動させたと判断した利用者は、端末装置２に搭載されたカメラ２６で車両の外観を撮像する。利用者は、撮像した画像を示す画像データを添付して、駐車区画の利用の開始を管理装置１に指示する。
【００９３】
図１１は、利用者が撮像した画像の例を示す図である。図１１に示す画像は利用者が駐車した普通車Ｖ１を前方から撮像したものである。図１１に示す画像には、利用者の車両のほか、背景に建物Ｍ１、建物Ｍ２等が写り込んでいる。
【００９４】
また、利用者は、駐車区画から自分の車両を出して、この駐車区画の利用を終了するときにも、上述したカメラ２６で車両の外観を撮像してもよい。この利用者は、撮像した画像を示す画像データを添付して、駐車区画の利用の終了を管理装置１に指示してもよい。
【００９５】
受付部１１１は、端末装置２から駐車区画の利用の開始又は終了の指示を受付ける。この指示には、利用者が駐車区画に駐車した車両を端末装置２に搭載されたカメラ２６で撮像した画像を示す画像データと、その画像を撮像したときに測定された端末装置２の位置及び姿勢を示す情報と、が含まれている。測定された端末装置２の位置及び姿勢の情報は、画像を示す画像データにメタデータとして含まれてもよい。
【００９６】
検知部１１６は、受付部１１１が駐車区画の利用の開始又は終了の指示を受付けたときに、その指示に含まれる画像データと、端末装置２の位置及び姿勢の情報と、に基づいて、画像データに示される画像に写り込んだ車両の位置を特定する。そして、検知部１１６は、特定した車両の位置と駐車区画の座標とを比較して、車両が予約された駐車区画に駐車されているか否かを検知する。
【００９７】
検知部１１６は、例えば、画像データが示す画像に対してキャリー法等のエッジ検出を行い、その画像に写っている物体の輪郭を検出する。そして、検知部１１６は、検出された輪郭の中から、車両の輪郭を抽出する。車両の輪郭は、例えば、様々な車両の形状を予め学習させた機械学習済みモデル等を用いて抽出されてもよい。
【００９８】
さらに、検知部１１６は、抽出した車両の輪郭と、端末装置２の位置及び姿勢の情報と、に基づいて、端末装置２から車両までの方向と距離とを特定し、車両の位置を特定すればよい。この検知部１１６は、特定した車両の位置が予約された駐車区画に収まっているか否かを判定することによって、この車両が予約された駐車区画に駐車されているか否かを検知する。
【００９９】
更新部１１７は、受付部１１１が端末装置２から利用者の指示する予約を受付けたときに、その予約の内容で記憶部１２を更新する。更新部１１７は、具体的には図３及び図６に示す予約ＤＢ１２３の内容を更新する。
【０１００】
また、更新部１１７は、予約された駐車区画に車両が駐車されていることを検知部１１６が検知したときに、受付けた指示に応じて記憶部１２に記憶された内容を更新する。更新部１１７は、具体的には図３及び図５に示す満空ＤＢ１２２の内容を更新する。すなわち、この駐車管理システム９は、利用者が駐車区画に駐車した車両を利用者の端末装置に搭載されたカメラで撮像した画像により、駐車区画の利用の開始又は終了の指示を受付け、画像に基づいて土地の利用の状況を管理する駐車管理システムである。
【０１０１】
また、更新部１１７は、検知部１１６により、予約された駐車区画に車両が駐車されていないことが検知されたときに、その予約された駐車区画を、実際に車両が駐車されている駐車区画に変更する更新を行ってもよい。
【０１０２】
指示部１１８は、検知部１１６により、予約された駐車区画に車両が駐車されていないことが検知されたときに、利用者に車両が駐車している位置（駐車位置という）の修正を促すよう端末装置２に指示する。
【０１０３】
図１２は、修正を促す指示を受けて端末装置２が表示する画面の例を示す図である。図１２に示す画面の上部には、この画面の役割を伝えるために「修正指示画面」という文字列が表示される。
【０１０４】
図１２に示す画面の中央には、方位、利用者の車両、及びこの車両の位置を修正するために進むべき方向を示す矢印等が記載された簡単な地図が表示される。
【０１０５】
図１２に示す画面の下部には、利用者の車両の位置を正しい駐車区画内の位置に修正するための文章が表示される。例えば、この画面の下部には、「２番に駐車しています。画面に従って３番に駐車し直して下さい」といった文章が表示される。
【０１０６】
利用者は、この文章と地図とを確認して、車両を例えば左隣の駐車区画に移動させる。
【０１０７】
なお、指示部１１８の指示を受けて端末装置２が利用者に対して上述の修正を促した後、その修正が行われなかったときに、検知部１１６は、予約された駐車区画を、実際に車両が駐車されている駐車区画に変更する更新が可能か否かを判断し、可能であると判断した場合に、更新部１１７は、この更新を行ってもよい。また、予約された駐車区画を、実際に車両が駐車されている駐車区画に変更する更新が可能でない、と検知部１１６が判断した場合、指示部１１８は、利用者の車両の駐車が違法である旨の警告をしてもよい。予約された駐車区画を、実際に車両が駐車されている駐車区画に変更する更新が可能ではない場合とは、例えば、実際に車両が駐車されている駐車区画に別の予約が入っている、といったケース等である。
【０１０８】
図１３は、警告を受けて端末装置２が表示する画面の例を示す図である。図１３に示す画面の上部には、この画面の役割を伝えるために「警告画面」という文字列が表示される。
【０１０９】
図１３に示す画面の中央には、例えば「お客様が現在お車を駐車されている位置は誤っています。このままでは違法駐車になります。お確かめ下さい」といった利用者への警告文が表示される。
【０１１０】
図１３に示す画面の下部には、利用者が駐車位置を修正するための修正指示画面に進むことを促すダイアログが表示される。このダイアログには、「修正指示画面に進みますか？」という文字列、及び「ＯＫ」と書かれたボタン、が表示される。
【０１１１】
利用者がこのまま警告文を無視して立ち去ると、利用者の車両は違法駐車の状態となり、後日、罰金等が請求されることとなる。利用者が、上述した「ＯＫ」と書かれたボタンに触れると、端末装置２は、図１２に示した修正指示画面を表示する。
【０１１２】
＜管理装置の動作＞
＜予約を受付ける動作＞
図１４は、管理装置１が予約を受付ける動作の流れを示すフロー図である。管理装置１の制御部１１は、利用者の端末装置２から駐車区画の利用の要求を受付けると（ステップＳ１０１）、受付けた要求の内容から、利用車が駐車を要求する車両の分類を特定する（ステップＳ１０２）。
【０１１３】
制御部１１は、特定した分類の車両を対象とする駐車区画の調整が必要であるか否かを判定する（ステップＳ１０３）。駐車区画の調整が必要である、と判定する場合（ステップＳ１０３；ＹＥＳ）、制御部１１は、駐車区画の調整を行って（ステップＳ１０４）、その後、処理をステップＳ１０５に進める。
【０１１４】
一方、駐車区画の調整が必要でない、と判定する場合（ステップＳ１０３；ＮＯ）、制御部１１は、処理をステップＳ１０４に進めずに、直接、ステップＳ１０５に進める。
【０１１５】
制御部１１は、特定した分類の車両を対象とする駐車区画の中から、利用されていないもの、すなわち、空き駐車区画を抽出する（ステップＳ１０５）。
【０１１６】
図１５は、駐車区画の利用状況の例を示す図である。図１５には、図１に示した土地Ｐが利用されている状況が示されている。図１５に示す通り、土地Ｐに設定された普通車用の駐車区画Ｒ１〜Ｒ５のうち、駐車区画Ｒ１、Ｒ２、Ｒ４、Ｒ５には普通車が駐車されている。また、土地Ｐに設定された大型車用の駐車区画Ｒ６〜Ｒ９のうち、駐車区画Ｒ６、Ｒ７には大型車が駐車されている。
【０１１７】
図１５に示す駐車区画の利用状況は、図３に示した管理装置１の満空ＤＢ１２２に反映されている。このとき、駐車区画の利用を要求されると、制御部１１は、利用者の車両の分類を特定し、その分類の駐車区画のうち、満空ＤＢ１２２に記述されている状況が「空き」である駐車区画を探す。
【０１１８】
なお、例えば、利用の要求が予約ＤＢ１２３で記憶されている予約の期間に行われると、その予約が満空ＤＢ１２２に反映されるため、予約された駐車区画に車両が実際に駐車されていなくてもその駐車区画の状況は「空き」にならない。
【０１１９】
例えば、図１５に示す普通車用の駐車区画で利用されていないものは、駐車区画Ｒ３のみである。そのため、図１５に示す土地Ｐに普通車の駐車を求められた場合、この駐車区画Ｒ３に予約が入っていなければ、制御部１１は、空き駐車区画として駐車区画Ｒ３を抽出する。一方、この駐車区画Ｒ３に予約が入っていると、制御部１１は、普通車用の空き駐車区画がないため、調整が必要と判断する。
【０１２０】
制御部１１は、調整が必要と判断した場合、予め決められた規則に沿って駐車区画の調整を行う。制御部１１は、例えば、利用が要求された車両の分類に応じた駐車区画が残っていない場合、他の分類に割り当てられた駐車区画を一時的に廃止して、それらの駐車区画が設定されていた場所に、利用が要求された車両の分類に応じた、新たな駐車区画を設定する。
【０１２１】
図１６は、調整後の駐車区画の例を示す図である。図１５で示した土地Ｐでは、大型車用の駐車区画Ｒ８、Ｒ９が利用されていなかったので、制御部１１は、これらを一時的に廃止して、代わりにこれらの設定されていた場所に普通車用の駐車区画Ｒ１０、Ｒ１１、Ｒ１２を新たに設定する。制御部１１は、新たな駐車区画Ｒ１０、Ｒ１１、Ｒ１２の座標を座標ＤＢ１２１に記憶し、満空ＤＢ１２２及び予約ＤＢ１２３にこれら駐車区画Ｒ１０、Ｒ１１、Ｒ１２のレコードを追加するとともに、駐車区画Ｒ８、Ｒ９を利用不可にする。
【０１２２】
大型車用の駐車区画Ｒ８、Ｒ９と、普通車用の駐車区画Ｒ１０、Ｒ１１、Ｒ１２とは、排他的に運用される。すなわち、大型車用の駐車区画Ｒ８、Ｒ９のいずれかが利用されているときには、これらを廃止することができず、普通車用の駐車区画Ｒ１０、Ｒ１１、Ｒ１２は新たに設定されない。また、普通車用の駐車区画Ｒ１０、Ｒ１１、Ｒ１２のいずれかが利用されているときには、これらを廃止することができず、大型車用の駐車区画Ｒ８、Ｒ９は復活されない。
【０１２３】
上述した調整を行った場合、制御部１１は、図１６に示した調整後のレイアウトで、空き駐車区画を抽出する。この場合、新たに設定された駐車区画Ｒ１０、Ｒ１１、Ｒ１２が抽出される。
【０１２４】
制御部１１は、抽出された空き駐車区画が複数であるか否かを判定する（ステップＳ１０６）。空き駐車区画が複数である、と判定する場合（ステップＳ１０６；ＹＥＳ）、それら複数の空き駐車区画を示して、いずれかを選択するよう促す応答をして（ステップＳ１０７）、その後、処理をステップＳ１０８に進める。
【０１２５】
一方、空き駐車区画が複数ではない、と判定する場合（ステップＳ１０６；ＮＯ）、制御部１１は、処理をステップＳ１０７に進めずに、直接、ステップＳ１０８に進める。
【０１２６】
制御部１１は、端末装置２から利用者の駐車の予約を受付ける（ステップＳ１０８）。利用者は、複数の空き駐車区画を示されて、いずれかを選択するよう促された場合、端末装置２に対して、これら複数の空き駐車区画の中からいずれかを選択する指示とともに予約を確定する指示を行うか、予約の依頼を中止する指示を行う。利用者は、１つの空き駐車区画を示された場合、その空き駐車区画で予約を確定する指示を行うか、予約の依頼を中止する指示を行う。予約を確定する指示を受付けると、管理装置１の制御部１１は、記憶部１２に記憶された予約ＤＢ１２３を更新する。
【０１２７】
＜指示を受付ける動作＞
図１７は、管理装置１が利用開始等の指示を受付ける動作の流れを示すフロー図である。利用者は、予約した駐車区画に車両を入れて降車し、携帯している端末装置２に搭載されたカメラ２６で、その車両の全体の外観とナンバープレートとが写るように車両を撮像する。そして、利用者は、端末装置２を操作して、撮像した画像の画像データとともに、駐車区画の利用を開始又は終了する旨の指示を管理装置１へ送信する。管理装置１の制御部１１は、端末装置２から利用開始等の指示を受付けると（ステップＳ２０１）、指示に含まれている画像データと、端末装置２の位置及び姿勢の情報と、から車両の駐車位置を特定する（ステップＳ２０２）。
【０１２８】
図１８は、端末装置２が利用者の指示を受付ける画面の例を示す図である。図１８（ａ）には、利用者に車両の外観の写真を撮像するよう促す画面が、図１８（ｂ）には、撮像した写真の確認を利用者に促す画面が、それぞれ示されている。
【０１２９】
図１８に示す画面の上部には、この画面の役割を伝えるために「利用開始指示画面」という文字列が表示される。
【０１３０】
例えば、管理装置１は、利用者から予約を受付けて、予約ＤＢ１２３を更新した後や、利用者の車両を予約された駐車区画に誘導した後等に、端末装置２に指示して図１８（ａ）に示す画面を表示させる。
【０１３１】
図１８（ａ）に示す画面の中央には、「降車してお車を前方から撮像した写真をお送り下さい」という文字列、「Ｃａｎｃｅｌ」と書かれたボタン、及び「ＯＫ」と書かれたボタン、が表示される。
【０１３２】
利用者は、この画面を確認する。そして、写真を撮像する場合、利用者は、「ＯＫ」と書かれたボタンに触れる。また、駐車を取りやめる等、他の行動を取る場合、利用者は「Ｃａｎｃｅｌ」と書かれたボタンに触れる。利用者が「Ｃａｎｃｅｌ」と書かれたボタンに触れた場合、端末装置２は、駐車の予約を解約する旨の通知を管理装置１に送信する。
【０１３３】
一方、利用者が「ＯＫ」と書かれたボタンに触れた場合、端末装置２は、写真を撮像するアプリを起動して、利用者が車両の写真を撮像するための準備状態に移行する。
【０１３４】
利用者が、降車して自分の車両を前方から撮像すると、端末装置２は、撮像したアプリから画像を取得し、図１８（ｂ）に示す画面を表示する。図１８（ｂ）に示す画面の中央には、「写真をご確認下さい」という文字列とともに、利用者が撮像した画像が枠内に表示される。そして、図１８（ｂ）に示す画面の下部には、「利用を開始しますか？」という文字列、「Ｃａｎｃｅｌ」と書かれたボタン、及び「ＯＫ」と書かれたボタン、が表示される。
【０１３５】
利用者は、この画面を確認する。そして、駐車場の利用を開始する場合、利用者は、「ＯＫ」と書かれたボタンに触れる。また、写真を撮像し直す等、他の行動を取る場合、利用者は「Ｃａｎｃｅｌ」と書かれたボタンに触れる。利用者が「Ｃａｎｃｅｌ」と書かれたボタンに触れた場合、端末装置２は、図１８（ａ）に示す画面を再表示する。
【０１３６】
一方、利用者が「ＯＫ」と書かれたボタンに触れた場合、端末装置２は、駐車場の利用を開始する旨の通知に、利用者が撮像した画像を示す画像データを添付して、管理装置１に送信する。この通知や、この通知に添付される画像データには、例えば、メタデータとして、測定された端末装置２の位置及び姿勢の情報が含まれている。
【０１３７】
制御部１１は、特定した駐車位置と、図３及び図４に示した座標ＤＢ１２１に記述された駐車区画の座標と、を比較して、利用者の車両が予約した駐車区画に駐車されているか否かを判定する（ステップＳ２０３）。
【０１３８】
利用者の車両が予約した駐車区画に駐車されていない、と判定する場合（ステップＳ２０３；ＮＯ）、制御部１１は、利用者に駐車位置の修正を促すよう端末装置２に指示をする（ステップＳ２０４）。すなわち、この駐車管理システム９は、利用者が土地に駐車した車両を利用者の端末装置に搭載されたカメラで撮像した画像に基づいて、その車両が駐車区画に駐車されていないと判定した場合、利用者に車両の駐車位置の修正を促す駐車管理システムである。
【０１３９】
そして、制御部１１は、例えば、ステップＳ２０４における修正の促しが行われてから一定の時間が経過したタイミング等に、駐車位置が修正されたか否かを判定する（ステップＳ２０５）。駐車位置が修正されていると判定する場合（ステップＳ２０５；ＹＥＳ）、制御部１１は、処理をステップＳ２０２に戻す。
【０１４０】
一方、駐車位置が修正されていないと判定する場合（ステップＳ２０５；ＮＯ）、制御部１１は、利用者の車両について予約された駐車区画を、その車両が駐車位置を修正されずに実際に駐車されているその駐車区画に変更する更新が可能か否かを判定する（ステップＳ２０６）。
【０１４１】
予約された駐車区画を変更する更新が可能ではない、と判定した場合（ステップＳ２０６；ＮＯ）、制御部１１は、利用者の車両について、違法駐車である旨の警告をして（ステップＳ２０７）、処理を終了する。この警告は、例えば端末装置２に通知され、端末装置２において表示される。制御部１１は、この警告をする際に、上述した利用者の車両が上述した駐車区画に違法に駐車していることを満空ＤＢ１２２に記憶させてもよい。
【０１４２】
一方、予約された駐車区画を変更する更新が可能である、と判定した場合（ステップＳ２０６；ＹＥＳ）、制御部１１は、処理をステップＳ２０８に進める。
【０１４３】
ステップＳ２０３において、利用者の車両が予約した駐車区画に駐車されている、と判定する場合（ステップＳ２０３；ＹＥＳ）、制御部１１は、処理をステップＳ２０４に進めずに、直接、ステップＳ２０８に進める。
【０１４４】
制御部１１は、図３及び図５に示した満空ＤＢ１２２の内容を、実際の利用の状況に合わせて更新する（ステップＳ２０８）。例えば、制御部１１は、予約した駐車区画の利用を開始する指示を利用者の端末装置２から受付けて、その指示に含まれる画像を解析する。そして、その解析の結果、その駐車区画にその利用者の車両が駐車されたと判定した場合、制御部１１は、記憶部１２に記憶されている満空ＤＢ１２２の内容を更新して、その駐車区画の利用が開始されたことを記憶する。
【０１４５】
なお、制御部１１は、予約した駐車区画の利用を開始する指示を受付けたときに、その指示に含まれる画像を解析して、その画像に写り込んだ車両の特徴情報を生成し、これを記憶してもよい。車両の特徴情報は、車両の特徴によってその車両を識別し得る情報であって、例えば、ナンバープレートが示す車両番号等が挙げられる。
【０１４６】
この場合、制御部１１は、駐車区画の利用を終了する指示を利用者の端末装置２から受付けたとき、その指示に含まれる画像を解析して車両番号等の特徴情報を認識し、記憶した特徴情報と照合してもよい。管理装置１は、照合の結果、利用の開始時と終了時とで車両番号が異なっていると判断した場合には、警報等を発してもよい。
【０１４７】
また、画像を解析した結果、予約した駐車区画に利用者の車両が駐車されていないと判定した場合には、制御部１１は、端末装置２を介して、その車両の駐車位置を修正するように利用者に促す。そして、修正の結果、予約したその駐車区画にその利用者の車両が駐車されたと判定した場合、制御部１１は、その駐車区画の利用を開始したことを記憶する。
【０１４８】
一方、利用者に促した修正が行われなかった場合、制御部１１は、予約された駐車区画を、実際に車両が駐車されている駐車区画に変更してもよい。すなわち、この駐車管理システム９は、利用者が駐車した車両を端末装置に搭載されたカメラで撮像した画像に基づいて、その車両が予約された駐車区画に駐車されていないと判定した場合、車両が予約された駐車区画を、車両が駐車されている駐車区画に変更する駐車管理システムである。
【０１４９】
以上、説明した通り、管理装置１は、土地Ｐに仮想的に設定した駐車区画の利用の状況を、利用者の端末装置２で撮像された画像、又は端末装置２の位置及び姿勢の情報に基づいて更新する。そのため、駐車管理システム９は、土地Ｐにおいてそれらの駐車区画を表示することなく、駐車区画の満空管理及び予約管理を行うことができる。つまり、この駐車管理システム９は、駐車区画が非表示の土地に仮想的に駐車区画を設定し、その駐車区画の満空管理及び予約管理を行う駐車管理システムである。
【０１５０】
以上の実施形態で説明された構成、形状、大きさ及び配置関係については本発明が理解・実施できる程度に概略的に示したものにすぎない。したがって、本発明は、説明された実施形態に限定されるものではなく、特許請求の範囲に示される技術的思想の範囲を逸脱しない限り様々な形態に変更することができる。
【０１５１】
＜変形例＞
以上が実施形態の説明であるが、この実施形態の内容は以下のように変形し得る。また、以下の変形例は組み合わされてもよい。
【０１５２】
＜変形例１＞
上述した実施形態において、検知部１１６は、受付けた指示に含まれる画像データと、端末装置２の位置及び姿勢の情報と、に基づいて、画像データに示される画像に含まれる車両の位置を特定していたが、画像データのみから車両の位置を特定してもよい。検知部１１６は、例えば、画像データが示す画像から、車両の輪郭のほか、背景に存在する物体の輪郭を、画像解析処理によって抽出する。そして検知部１１６は、背景に存在するその物体の輪郭と、車両の輪郭との画像内の位置関係に基づいて、車両の位置を特定してもよい。
【０１５３】
図１９は、画像のみから車両の位置を特定する方法を説明するための図である。車両を撮像した画像には、土地Ｐに所在する物体が背景として写り込むことがある。例えば、図１９（ａ）に示す画像は、土地Ｐに所在する植物Ｔ２が背景として車両とともに撮像された画像である。検知部１１６は、図１９（ａ）に示す画像を解析して、車両及び植物Ｔ２の輪郭を抽出する。そして、検知部１１６は、例えば、植物Ｔ２が車両から見て左側に存在すること等を特定し、車両の駐車位置を特定すればよい。
【０１５４】
また、検知部１１６が車両の駐車位置を特定するために用いる物体は、土地Ｐに所在する物体に限られない。図１９（ｂ）に示す画像は、土地Ｐの外に所在する物体が背景として写り込んだ画像である。図１９（ｂ）に示す建物Ｍ１及び建物Ｍ２は、土地Ｐを含む地域を代表する、いわゆるランドマークであり、それらの位置は予め判明している。
【０１５５】
検知部１１６は、図１９（ｂ）に示す画像を解析して、例えば、正面から撮像した車両が、建物Ｍ１及び建物Ｍ２の間に収まっていること等を特定し、車両の駐車位置を特定すればよい。
【０１５６】
＜変形例２＞
上述した実施形態において、利用者は、端末装置２に搭載されたカメラ２６で車両を撮像し、撮像された画像を示す画像データを添付して、駐車区画の利用の開始を管理装置１に指示していたが、管理装置１が受付ける指示はこれに限られない。管理装置１は、例えば、利用者の端末装置２が駐車区画の内側に位置するときに、その端末装置２からその駐車区画の利用の開始又は終了の指示を受付けてもよい。管理装置１は、受付けた指示に基づいて土地の利用の状況を管理すればよい。すなわち、この駐車管理システム９は、駐車区画の内側に位置する利用者の端末装置からその駐車区画の利用の開始又は終了の指示を受付け、指示に基づいて土地の利用の状況を管理する駐車管理システムである。
【０１５７】
例えば、利用者は、自分の車両を運転して予約した駐車区画に入れて駐車し、端末装置２を操作して、この駐車区画の利用の開始を管理装置１に指示する。端末装置２は、測位部２７により自装置の位置を測定し、この位置を示す位置情報とともに駐車区画の利用を開始する旨の指示を管理装置１に送る。管理装置１は、指示を受付けると、端末装置２の位置と、予約した駐車区画の座標と、を比較し、端末装置２がその駐車区画の内側に位置しているか否かを判定する。
【０１５８】
そして、管理装置１は、利用者の予約した駐車区画の内側にその利用者の端末装置２が位置していると判定する場合に、その駐車区画の利用の開始を記憶すればよい。この場合、端末装置２はカメラ２６を有しなくてもよい。
【０１５９】
＜変形例３＞
管理装置１は、利用者の携帯する端末装置２に搭載されたカメラで撮像された画像を受付けていたが、他のカメラで撮像された画像を受付けてもよい。他のカメラとは、例えば、利用者ではなく、土地Ｐの管理者が携帯する端末装置２に搭載されたカメラ２６等である。管理者とは、土地Ｐの所有者であってもよいし、所有者から土地Ｐの管理を請け負った者であってもよい。
【０１６０】
そして、管理装置１は、例えば、受付けた画像を解析して、土地Ｐにおける各車両の駐車位置を特定し、それらの駐車位置を満空ＤＢ１２２と照合することで、不正に駐車されている車両を検知してもよい。すなわち、この駐車管理システム９は、土地において撮像された画像に基づいて、不正に駐車されている車両を検知する駐車管理システムである。
【０１６１】
＜変形例４＞
上述した実施形態において、端末装置２は、管理者又は利用者（利用者等という）が携帯するスマートフォンやタブレットＰＣ等であったが、例えばウェアラブルデバイス等、他の情報処理装置であってもよい。
【０１６２】
例えば、端末装置２が眼鏡型のウェアラブルデバイスである場合、操作部２４は、フレームに設けられた操作ボタンであってもよく、また、端末装置２を装着した利用者等の視線の方向を検知する構成を有してもよい。操作部２４は、検知した方向に応じた利用者等の操作を受付けてもよい。
【０１６３】
なお、視線の方向を検知する構成は、様々なものが考えられるが、例えば、眼球を撮像する撮像部と、撮像した眼球の画像を解析して上述した方向を推定する解析部を含むものが挙げられる。また、端末装置２は、眼鏡型に限らず、腕や足、胴体等に取付けて用いるウェアラブルデバイスであってもよい。
【０１６４】
また、端末装置２が上述した眼鏡型のウェアラブルデバイスである場合、表示部２５は、レンズに設けられた透過型のディスプレイであってもよい。この表示部２５によれば、例えば制御部２１によって表示するように指示された画像が、利用者等の視界に入る風景に重ねて表示される。
【０１６５】
例えば、管理装置１から車両を予約された駐車区画に誘導するための案内の情報を受け取った場合、この端末装置２は、測位部２７で測定された自装置の位置と、受け取った案内の情報とを用いて、風景に案内を重ねて表示する。利用者は、実際には表示されていない土地Ｐの外縁、出入口のゲート、縁石、駐車区画を示す白線、予約された駐車区画への道順を示す矢印等を、透過型のディスプレイである表示部２５によって土地Ｐに重ねて認識し、車両を駐車区画へ移動させればよい。
【０１６６】
なお、端末装置２が例えば上述したウェアラブルデバイスである場合、カメラ２６は携帯する利用者等の身体に取付けられた状態で画像を撮像してもよい。
【０１６７】
＜変形例５＞
管理装置１の制御部１１によって実行されるプログラムは、磁気テープや磁気ディスク等の磁気記録媒体、光ディスク等の光記録媒体、光磁気記録媒体、半導体メモリ等の、コンピュータ装置が読み取り可能な記録媒体に記憶された状態で提供し得る。また、このプログラムを、インターネット等の通信回線経由でダウンロードさせることも可能である。なお、上述した制御部１１によって例示した制御手段としてはＣＰＵ以外にも種々の装置が適用される場合があり、例えば、専用のプロセッサ等が用いられる。
【符号の説明】
【０１６８】
１…管理装置、１１…制御部、１１１…受付部、１１２…特定部、１１３…調整部、１１４…抽出部、１１５…応答部、１１６…検知部、１１７…更新部、１１８…指示部、１２…記憶部、１２１…座標ＤＢ、１２１１…管理者リスト、１２１２…土地リスト、１２１３…座標リスト、１２２…満空ＤＢ、１２３…予約ＤＢ、１３…通信部、２…端末装置、２１…制御部、２２…記憶部、２３…通信部、２４…操作部、２５…表示部、２６…カメラ、２７…測位部、３…通信回線、４…衛星、９…駐車管理システム、Ｂ…ブロック、Ｇ…出入口、Ｍ１…建物、Ｍ２…建物、Ｐ…土地、Ｒ１〜Ｒ１２…駐車区画、Ｔ１、Ｔ２…植物、Ｖ１…普通車、Ｖ２…大型車。
【図１】
2020038461.tif 000003
【図２】
2020038461.tif 000004
【図３】
2020038461.tif 000005
【図４】
2020038461.tif 000006
【図５】
2020038461.tif 000007
【図６】
2020038461.tif 000008
【図７】
2020038461.tif 000009
【図８】
2020038461.tif 000010
【図９】
2020038461.tif 000011
【図１０】
2020038461.tif 000012
【図１１】
2020038461.tif 000013
【図１２】
2020038461.tif 000014
【図１３】
2020038461.tif 000015
【図１４】
2020038461.tif 000016
【図１５】
2020038461.tif 000017
【図１６】
2020038461.tif 000018
【図１７】
2020038461.tif 000019
【図１８】
2020038461.tif 000020
【図１９】
2020038461.tif 000021